(57)【特許請求の範囲】
【請求項１】
支点部を支点として一端部が回動可能に設けられた一対のピンチ部材を備え、当該一対のピンチ部材の間に複数の電線を挟むピンチ部と、
前記一対のピンチ部材の一端部と当該一対のピンチ部材の回動軸心方向に沿って平行な上に設けられ、前記複数の電線を引っ掛ける鈎状をなすフック部と、
前記回動軸心方向の平行な方向に沿って延出し、前記フック部と前記ピンチ部とを連結する誘導部と、
を備えたことを特徴とする電線固定具。
【請求項２】
前記複数の電線は、幹線と分岐線とからなることを特徴とする請求項１に記載の電線固定具。
【請求項３】
電線固定具を用いて複数の電線を固定する電線固定方法であって、
前記電線固定具は、支点部を支点として一端部が回動可能に設けられた一対のピンチ部材を備えて当該一対のピンチ部材の間に前記複数の電線を挟むピンチ部と、前記一対のピンチ部材の一端部と当該一対のピンチ部材の回動軸心方向に沿って平行な上に設けられた鈎状をなすフック部と、前記回動軸心方向の平行な方向に沿って延出し、前記フック部と前記ピンチ部とを連結する誘導部と、備え、
前記フック部を、前記複数の電線に引っ掛ける第１の工程と、
前記一対のピンチ部材における他端部を挟持することにより、当該一対のピンチ部材どうしの間隔を開く第２の工程と、
前記フック部を前記複数の電線に引っ掛けた状態で、前記ピンチ部を前記複数の電線に押し付けることにより、間隔が開かれた前記一対のピンチ部材の間に当該複数の電線を位置付ける第３の工程と、
前記他端部の挟持を解除する第４の工程と、
を含むことを特徴とする電線固定方法。
【請求項４】
前記複数の電線は、幹線と分岐線とからなることを特徴とする請求項３に記載の電線固定方法。
【請求項５】
前記第１の工程、前記第２の工程および前記第３の工程の少なくとも一つは、間接活線工具を用いておこなうことを特徴とする請求項３または４に記載の電線固定方法。
【発明の詳細な説明】
【技術分野】
【０００１】
この発明は、複数の電線を固定する電線固定具および電線固定方法に関する。
【背景技術】
【０００２】
架空線工事の径間途中分岐の施工にあたっては、分岐元の電線（幹線）と分岐された電線（分岐線）との接続点に張力が加わらないように施設することが定められている。従来、架空線工事の径間途中分岐の施工に際しては、接続点から１５ｃｍ程度離した箇所における幹線および分岐線に、直径２．０ｍｍのビニル被覆アルミバインド線を５回以上巻き付けることによって、幹線と分岐線とを相互に固定していた。
【０００３】
ビニル被覆アルミバインド線は、２つ折りにしたバインド線を、１名が絶縁ヤットコで把持し、別の１名がバインド打ち器を使用して巻きつけていた。このため、作業をおこなうためには２名の作業員が必要であり、当該２名の作業員が協調して作業をおこなう必要があった。
【０００４】
幹線と分岐線との固定を、たとえば、ラインスペーサ方式によっておこなう場合、分岐元の電線（幹線）と分岐された電線（分岐線）との接続点、および、分岐線と分岐先の電線（幹線）との接続点の２箇所を縛って固定していた。電線相互を固定する方法としては、ビニル被覆アルミバインド線を巻き付ける方法の他に、ラッシングワイヤーを巻き付ける方法があった。
【０００５】
関連する技術として、従来、たとえば、中央部のループ部を碍子の首部に巻き付け、当該ループ部から両端部に至るまでをスパイラル状に形成した電線用巻付バインドにより、単独の腕金に支持された碍子に電線を確実に固定できるようにした技術があった（たとえば、下記特許文献１を参照。）。
【０００６】
また、関連する技術として、従来、たとえば、一対の挟み部材の間に、分岐用スリーブを挟むスリーブ把持部と幹電線および分岐電線を同時に保持可能な電線把持部とを備えた分岐用スリーブクリップにより、分岐用スリーブの落下を防止するようにした技術があった（たとえば、下記特許文献２を参照。）。
【先行技術文献】
【特許文献】
【０００７】
【特許文献１】特開２０１２−２８０５３号公報
【特許文献２】特開２０１４−１４７１４１号公報
【発明の概要】
【発明が解決しようとする課題】
【０００８】
しかしながら、上述した従来の技術のようにビニル被覆アルミバインド線を巻き付ける方法による作業は、バインド打ち器などの専用の間接活線工具を使用するため、熟練度によっては作業に時間がかかり誰でもが容易におこなえる作業ではなく、作業者の熟練度によって作業の効率にばらつきがあるという問題があった。
【０００９】
また、上述した従来の技術のようにビニル被覆アルミバインド線を巻き付ける方法による作業は、２つ折りにしたバインド線を把持する作業者の腕がだるくなるなど、作業者の疲労が大きいという問題があった。特に、架空線工事の径間途中分岐は屋外でおこなう作業であり、強風時など天候によっては作業が長時間化し、作業者の疲労が一層大きくなってしまうという問題があった。
【００１０】
ビニル被覆アルミバインド線を巻き付ける方法による作業をおこなうためには２名以上の作業員が協調して作業をおこなう必要があり、当該作業にかかる作業者数が多くなってしまい、作業効率に劣るという問題があった。
【００１１】
この発明は、上述した従来技術による問題点を解消するため、電線を固定する作業にかかる作業効率の向上を図ることができる電線固定具および電線固定方法を提供することを目的とする。
【課題を解決するための手段】
【００１２】
上述した課題を解決し、目的を達成するため、この発明にかかる電線固定具は、支点部を支点として一端部が回動可能に設けられた一対のピンチ部材を備え、当該一対のピンチ部材の間に固定対象物を挟むピンチ部と、前記一対のピンチ部材の一端部と当該一対のピンチ部材の回動軸心方向に沿って平行な上に設けられた鈎状をなすフック部と、前記回動軸心方向の平行な方向に沿って延出し、前記フック部と前記ピンチ部とを連結する誘導部と、を備えたことを特徴とする。
【００１３】
また、この発明にかかる電線固定方法は、支点部を支点として一端部が回動可能に設けられた一対のピンチ部材を備えて当該一対のピンチ部材の間に固定対象物を挟むピンチ部と、前記一対のピンチ部材の一端部と当該一対のピンチ部材の回動軸心方向に沿って平行な上に設けられた鈎状をなすフック部と、前記回動軸心方向の平行な方向に沿って延出し、前記フック部と前記ピンチ部とを連結する誘導部と、を備えた電線固定具を用いた電線固定方法であって、前記フック部を、前記固定対象物に引っ掛け、前記一対のピンチ部材における他端部を挟持することにより、当該一対のピンチ部材どうしの間隔を開き、前記フック部を前記固定対象物に引っ掛けた状態で、前記ピンチ部を前記固定対象物に押し付けることにより、間隔が開かれた前記一対のピンチ部材の間に当該固定対象物を位置付け、前記他端部の挟持を解除する、ことを特徴とする。
【発明の効果】
【００１４】
この発明にかかる電線固定具および電線固定方法によれば、電線を固定する作業にかかる作業効率の向上を図ることができるという効果を奏する。
【図面の簡単な説明】
【００１５】
【図１】この発明にかかる実施の形態の電線固定具を示す説明図である。
【図２】取り付け対象例を示す説明図（その１）である。
【図３】取り付け対象例を示す説明図（その２）である。
【図４】取り付け対象例を示す説明図（その３）である。
【図５】取り付け対象例を示す説明図（その４）である。
【図６】この発明にかかる実施の形態の電線固定具を用いた、この発明にかかる電線固定方法によって電線を固定する作業手順を示す説明図（その１）である。
【図７】この発明にかかる実施の形態の電線固定具を用いた、この発明にかかる電線固定方法によって電線を固定する作業手順を示す説明図（その２）である。
【図８】この発明にかかる実施の形態の電線固定具を用いた、この発明にかかる電線固定方法によって電線を固定する作業手順を示す説明図（その３）である。
【図９】この発明にかかる実施の形態の電線固定具を用いた、この発明にかかる電線固定方法によって電線を固定する作業手順を示す説明図（その４）である。
【図１０】この発明にかかる実施の形態の電線固定具を用いた、この発明にかかる電線固定方法によって電線を固定する作業手順を示す説明図（その５）である。
【図１１】この発明にかかる実施の形態の電線固定具の取り付け状態の一例を示す説明図である。
【発明を実施するための形態】
【００１６】
以下に添付図面を参照して、この発明にかかる電線固定具および電線固定方法の好適な実施の形態を詳細に説明する。
【００１７】
（電線固定具の構成）
まず、この発明にかかる実施の形態の電線固定具の構成について説明する。図１は、この発明にかかる実施の形態の電線固定具を示す説明図である。
【００１８】
図１において、この発明にかかる実施の形態の電線固定具１００は、フック部１１０と、ピンチ部１２０と、誘導部１３０と、を備えている。フック部１１０は、鉤状に湾曲したフック部材と、フックに対向する押さえ部材とを備えている。フック部材と押さえ部材とは、この実施の形態の電線固定具１００が固定対象とする電線の直径方向に沿って対向している。フック部材の先端１１１は、ピンチ部１２０側に向けて突出している。
【００１９】
ピンチ部１２０は、一端部が鈎状に湾曲した一対のピンチ部材１２１を備えている。一対のピンチ部材１２１を構成する各ピンチ部材１２１の一端部（図１における紙面上側の端部）は、それぞれ、互いの方向に向かってフック状に湾曲している。各ピンチ部材１２１の他端部（図１における紙面下側の端部）は、それぞれ、一端部の湾曲方向とは逆方向に屈曲している。一対のピンチ部材１２１は、それぞれ、一端部と他端部との間に設けられた支点部１２２を支点として揺動可能に設けられている。支点部１２２どうしの位置関係は固定されていない。
【００２０】
ピンチ部１２０において、支点部１２２よりも一端部側は、一対のピンチ部材１２１を形成する部材の弾性力によって、一端部どうしが接近し、他端部どうしが離間するように付勢されている。各ピンチ部材１２１は、電線固定具１００の取り付け対象となる電線の長さ方向に沿って並べた状態で配列され、ピンチ部１２０を構成している。各ピンチ部材１２１において、支点部１２２から一端部までの間は、固定対象とする電線を把持する把持部とされている。把持部は、支点部１２２と一端部との間の部分が互いに離反する方向に湾曲した形状をなし、湾曲することによって形成される空間に電線を保持する。
【００２１】
一対のピンチ部材１２１は、支点部１２２よりも他端部側において、他端部どうしを近付けるような外力が作用すると、一端部どうしが離間するように、支点部１２２を支点として揺動する。一対のピンチ部材１２１は、外力から解放されると、自身の弾性力によってふたたび一端部どうしが接近し、他端部どうしを離間させるように揺動する。すなわち、一対のピンチ部材１２１は、各他端部をまとめてその外方から挟むと支点部１２２を中心として揺動し、挟んでいる間だけ一端部を開くような、いわゆる洗濯ばさみ状の構成をなす。
【００２２】
フック部１１０とピンチ部１２０との間は、誘導部１３０によって連結されている。この実施の形態の電線固定具１００において、誘導部１３０は、フック部１１０およびピンチ部１２０とともに、連続した１本の針金状の部材を用いて一体に形成されている。
【００２３】
電線固定具１００において、ピンチ部１２０が把持することができる電線の太さの最大値（図１における符号Ａを参照）は、ピンチ部１２０における鉤状に湾曲することによる頂点の位置と支点部１２２との間の長さによって定まる。すなわち、ピンチ部１２０は、固定対象とする２本の電線のそれぞれの直径を加算した値が、寸法Ａと同等以下の電線を固定することができる。
【００２４】
また、フック部１１０におけるピンチ部１２０側の端部から、ピンチ部１２０におけるフック部１１０側の端部との間の長さ（図１における符号Ｂを参照）、すなわち、ピンチ部１２０とフック部１１０との離間距離は、寸法Ａと同等程度であることが好ましい。寸法Ａと寸法Ｂとを同等程度とすることにより、後述するように、電線固定具１００のフック部１１０を電線に引っ掛けた際に、フック部１１０を安定して電線に引っ掛けておくことができる。寸法Ｂは、寸法Ａと完全に同じ長さであることにかぎらず、寸法Ａと同等以上であることが好ましい。
【００２５】
（電線固定具１００の取り付け対象例）
つぎに、この発明にかかる実施の形態の電線固定具１００の取り付け対象となる取り付け対象例について説明する。図２、図３、図４および図５は、取り付け対象例を示す説明図である。
【００２６】
図２および図３においては、取り付け対象例として、水平途中分岐された分岐線と、当該分岐線の分岐元の電線（幹線）との分岐位置を示している。図２においては、高圧水平途中分岐用ポリマースペーサ２０１を用いて水平途中分岐された取り付け対象例を示している。図３においては、高圧途中支持金物３０１を用いて水平途中分岐された取り付け対象例を示している。
【００２７】
図２および図３に例示するような取り付け対象に対しては、従来、分岐線２０２と幹線２０３との分岐位置に、所定の太さ（たとえば２．０ｍｍ程度）のビニル被覆アルミバインド線２０４を所定回数（たとえば５回）以上巻き付けることによって、分岐線２０２と幹線２０３とを固定していた。
【００２８】
図４においては、取り付け対象例として、ラインスペーサ４０１を用いて径間途中分岐された場合の分岐線２０２と幹線２０３との分岐位置を示している。図４に示すように、ラインスペーサ４０１を用いて径間途中分岐をおこなう場合、１本の分岐線２０２に対し、それぞれ、ラインスペーサ４０１の両端側において２箇所が取り付け対象とされる。
【００２９】
図４に例示するような取り付け対象に対しても、従来、ラインスペーサ４０１の両端側における２箇所の分岐位置に、それぞれ、所定の太さ（たとえば２．０ｍｍ程度）のビニル被覆アルミバインド線２０４を所定回数（たとえば５回）以上巻き付けることによって、分岐線２０２と幹線２０３とを固定していた。
【００３０】
図５においては、分岐線２０２と幹線２０３との分岐位置に、高圧分岐スリーブカバー５０１が施された場合の取り付け対象例を示している。この場合、高圧分岐スリーブカバー５０１の外において、高圧分岐スリーブカバー５０１から高圧途中支持金物５０２へ引き出された分岐線２０２と幹線２０３とを固定する。このような作業対象に対しては、従来、バインド式の所定の電線固定具１００を用いて分岐線２０２と幹線２０３とを固定していた。
【００３１】
（電線固定具１００の取り付け作業手順）
つぎに、この発明にかかる実施の形態の電線固定具１００の取り付け作業手順について説明する。図６、図７、図８、図９および図１０は、この発明にかかる実施の形態の電線固定具１００を用いた、この発明にかかる電線固定方法によって電線２０２、２０３を固定する作業手順を示す説明図である。電線固定具１００は、事前に２本の電線２０２、２０３（分岐線２０２および幹線２０３）が接続された位置の近傍に取り付ける。電線固定具１００の取り付け作業に際しては、まず、間接活線工具を用いて、電線固定具１００のフック部１１０におけるフック部材を、固定対象とする電線２０２、２０３に、当該電線２０２、２０３の上側から引っ掛ける（図６を参照）。このとき、作業者は、電線２０２、２０３の下側に立って、フック部１１０におけるフック部材のみを電線２０２、２０３に位置付けるだけで、当該フック部材を電線２０２、２０３に上側から引っ掛けることができる。
【００３２】
電線固定具１００におけるフック部材を電線２０２、２０３に引っ掛けるために用いる間接活線工具としては、たとえば、絶縁ヤットコと称される間接活線工具を用いることができる（図６における符号６０１を参照）。あるいは、電線固定具１００におけるフック部材を電線２０２、２０３に引っ掛けるために用いる間接活線工具としては、たとえば、絶縁操作棒および当該絶縁操作棒の先端に取り付けた把持金具を用いることができる。あるいは、電線固定具１００におけるフック部材を電線２０２、２０３に引っ掛けるために用いる間接活線工具としては、たとえば、絶縁操作棒および当該絶縁操作棒の先端に取り付けたフック状のアタッチメント工具であってもよい。
【００３３】
電線固定具１００においては、フック部材の先端がピンチ部１２０側に突出しており、また、フック部１１０とピンチ部１２０とが一体とされているため、フック部１１０を電線２０２、２０３に引っ掛けた状態では、フック部材を、自重（特にピンチ部１２０の重さ）により電線２０２、２０３に確実に引っ掛けることができる。具体的には、電線固定具１００においては、フック部１１０とピンチ部１２０とが誘導部１３０の両端に連結されているため、電線２０２、２０３に引っ掛けた状態のフック部１１０に対しては、ピンチ部１２０および誘導部１３０の自重によって鉛直方向における下側に引っ張る力が作用する。これにより、フック部１１０を電線２０２、２０３に確実に引っ掛けることができる。
【００３４】
また、フック部材の先端がピンチ部１２０側に突出しているため、電線固定具１００の姿勢にかかわらず、フック部材を電線２０２、２０３に確実に引っ掛けることができる。すなわち、ピンチ部１２０および誘導部１３０の自重が加わることによって、フック部１１０の姿勢が、電線固定具１００の取り付けが完了した状態の姿勢に対してピンチ部１２０側を下側に向けるように傾いた場合にも、ピンチ部１２０側に突出した先端によってフック部１１０を電線２０２、２０３に確実に引っ掛けることができる。
【００３５】
このように、この実施の形態の電線固定具１００は、格別な固定作業をおこなうことなく、電線固定具１００を一時的かつ確実に電線２０２、２０３に引っ掛けて、電線固定具１００を電線２０２、２０３に仮固定することができる。これにより、作業者は、電線固定具１００を電線２０２、２０３に引っ掛けた後、つぎの作業に移るための準備を落ち着いておこなうことができる。
【００３６】
つぎに、電線固定具１００を電線２０２、２０３に引っ掛けた状態で、間接活線工具（絶縁ヤットコ）を用いて、ピンチ部１２０における各他端部をまとめてその外方から挟む。ピンチ部１２０における各他端部をまとめてその外方から挟むと、一端部どうしが離間するように、支点部１２２を支点として一対のピンチ部材１２１が揺動する。これにより、一対のピンチ部材１２１における一端部どうしの間隔が開き、把持部の空間が、一端部を介して開放される。
【００３７】
作業者は、一端部どうしが離間して把持部の空間が開放された状態とするように各他端部を把持した状態のまま、取り付け対象とする電線２０２、２０３に、一端部どうしの間において把持部の空間を開放する開口８０１を押し当てる（図７および図８を参照）。そして、開口８０１を介して把持部における空間内に電線２０２、２０３が導入されるまで、そのまま電線固定具１００を電線２０２、２０３に押し付ける（図８および図９を参照）。図８においては、把持部における空間内に電線２０２、２０３が導入された状態の電線固定具１００、および、電線固定具１００によって固定される部分の電線２０２、２０３を切断した断面を、電線２０２、２０３の長さ方向に沿って見た状態を示している。
【００３８】
電線固定具１００においては、先にフック部１１０を電線２０２、２０３に引っ掛けて仮に固定しているため、電線２０２、２０３に引っ掛けたフック部１１０を支点として回動させるようにしてピンチ部１２０側を下側から上側に向かって電線２０２、２０３に押し付けるだけで、開口８０１に押し付けた電線２０２、２０３を容易に把持部における空間内に導入することができる。また、ピンチ部材１２１の一端部が、鉤状に湾曲しているため、電線２０２、２０３に開口８０１を押し付けるだけで、スムーズに把持部における空間内に電線２０２、２０３を導入することができる。
【００３９】
また、電線固定具１００においては、先にフック部１１０を電線２０２、２０３に引っ掛けて仮に固定しているため、間接活線工法による作業であっても、作業者が、落ち着いて作業をおこなうことができる。具体的には、単独で作業をおこなう場合にも、フック部１１０を固定する際に用いた間接活線工具から、慌てることなく、他端部を把持する間接活線工具に持ち替えて、ピンチ部１２０を把持する作業に移行することができる。
【００４０】
そして、ピンチ部１２０の空間内に固定対象とする２本の電線２０２、２０３が収まった状態で、他端部から間接活線工具を取り外す。一対のピンチ部材１２１は、自身を形成する材質の弾性力によって、外力から解放されると元のように一端部どうしが接近した状態になる（図９を参照）。これにより、ピンチ部１２０によって電線２０２、２０３を確実に挟んで固定することができる。
【００４１】
その後、把持する間接活線工具を用いて、電線２０２、２０３を挟んだ状態のピンチ部１２０を外側から掴むようにして挟み込む（図１０を参照）。挟み込む位置は、ピンチ部材１２１において鉤状に湾曲した一端部であることが好ましい。これにより、ピンチ部材１２１と電線２０２、２０３との隙間をなくし、ピンチ部１２０を電線２０２、２０３に確実に取り付けることができるとともに、ピンチ部１２０が電線２０２、２０３に取り付けられたことを容易に確認することができる。
【００４２】
現場によっては、分岐線２０２の直径が、幹線２０３の直径に対して小さい場合がある。この発明にかかる実施の形態の電線固定具１００は、このような現場であっても、上記と同様の簡易な作業によって、容易かつ確実に分岐線２０２と幹線２０３とを固定することができる。
【００４３】
図１１は、この発明にかかる実施の形態の電線固定具１００の取り付け状態の一例を示す説明図である。上記のように、この発明にかかる実施の形態の電線固定具１００は、一対のピンチ部材１２１における支点部１２２どうしの位置関係が固定されていない。このため、電線固定具１００は、固定する２本の電線２０２、２０３の直径を加算した値が寸法Ａよりも小さい場合は、図１１に示すように、把持部の空間内の電線２０２、２０３の直径に応じて支点部１２２の位置を相対的にずらすことができる。
【００４４】
ピンチ部１２０においては、電線固定具１００を形成する針金状の部材の弾性力によって形状を維持しようとする付勢力が作用している。この付勢力により、２本の電線２０２、２０３を把持した状態のピンチ部１２０においては、支点部１２２よりも一端部側を互いに開く方向に付勢する力が作用する。そして、一対のピンチ部材１２１における支点部１２２どうしの位置関係が固定されていないため、開く方向に付勢する力が支点部１２２を交差する方向に付勢する力として作用する。これにより、作業者が格別な作業をおこなわなくても、固定対象とする電線２０２、２０３の太さにかかわらず電線２０２、２０３どうしを容易かつ確実に固定することができる。
【００４５】
以上説明したように、この発明にかかる実施の形態の電線固定具１００は、支点部１２２を支点として一端部が回動可能に設けられた一対のピンチ部材１２１を備え、当該一対のピンチ部材１２１の間に固定対象物を挟むピンチ部１２０と、一対のピンチ部材１２１の一端部と当該一対のピンチ部材１２１の回動軸心方向に沿って平行な上に設けられた鈎状をなすフック部１１０と、当該回動軸心方向の平行な方向に沿って延出し、フック部１１０とピンチ部１２０とを連結する誘導部１３０と、を備えたことを特徴としている。
【００４６】
この発明にかかる実施の形態の電線固定具１００によれば、フック部１１０を電線２０２、２０３に引っ掛けた状態で、当該電線２０２、２０３をピンチ部１２０によって挟み込むことができるので、作業者が一人であっても容易かつ確実に電線２０２、２０３どうしを固定することができる。
【００４７】
また、この発明にかかる実施の形態の電線固定具１００によれば、フック部１１０を電線２０２、２０３に引っ掛けた後、フック部１１０を支点として電線固定具１００を回転させピンチ部１２０を電線２０２、２０３に押し付けるだけで電線２０２、２０３どうしを固定することができるので、取り付け作業に利用できるスペースが狭い箇所においても誰でも容易に取り付けることができる。
【００４８】
また、この発明にかかる実施の形態の電線固定具１００によれば、ピンチ部１２０によって洗濯ばさみのように挟み込むことによって電線２０２、２０３どうしを固定することができるので、作業者による力の加減が不要であり、作業者に左右されることなく電線２０２、２０３どうしを固定することができる。
【００４９】
また、この発明にかかる実施の形態の電線固定具１００によれば、電線固定具１００を形成する材料の弾性力によって固定するため、作業者に左右されることなく電線２０２、２０３どうしを堅固に固定できる。
【００５０】
また、この発明にかかる実施の形態の電線固定具１００は、フック部１１０を電線２０２、２０３に引っ掛け、ピンチ部１２０によって挟み込むだけで電線２０２、２０３どうしを容易に固定することができるので、電線２０２、２０３を固定する作業における作業者の負担（疲労など）を軽減することができる。
【産業上の利用可能性】
【００５１】
以上のように、この発明にかかる電線固定具および電線固定方法は、２本の電線を固定する作業に用いる電線固定具に有用であり、特に、取り付け作業に利用できるスペースが狭い箇所において２本の電線を固定する作業に用いる電線固定具に適している。
【符号の説明】
【００５２】
１００  電線固定具
１１０  フック部
１２０  ピンチ部
１２１  ピンチ部材
１３０  誘導部
【図１】
0006488747.tif 000002
【図２】
0006488747.tif 000003
【図３】
0006488747.tif 000004
【図４】
0006488747.tif 000005
【図５】
0006488747.tif 000006
【図６】
0006488747.tif 000007
【図７】
0006488747.tif 000008
【図８】
0006488747.tif 000009
【図９】
0006488747.tif 000010
【図１０】
0006488747.tif 000011
【図１１】
0006488747.tif 000012